(57)【要約】      （修正有）【課題】安定してタンクを支持可能であり、タンク内の水の貯留状態を検知可能な冷房送風装置を提供する。【解決手段】冷房送風装置は、水を貯留するタンク６０と、タンク６０が載置されるベース部１５とを備える。冷房送風装置は、駆動軸部５０ａを有し、タンク６０の荷重を受けて駆動軸部５０ａ回りに回動可能なタンク受け部５０と、タンク受け部５０が所定の高さより下方に回動したことを検出するマイクロスイッチ５１とを備える。タンク６０は、タンク６０の幅方向ＷＤにおける中央にてタンク受け部５０と接触するタンク受け接触部６５と、タンク受け接触部６５の幅方向ＷＤにおける両側にてベース部１５と接触する複数の突出部６４とを有する。タンク受け接触部６５は、複数のベース接触部の並び方向と交差する方向において複数の突出部６４と離間している。駆動軸部５０ａは、タンク受け接触部６５よりも突出部６４に近い位置に配置されている。【選択図】図１２
2018138855.tif 000002
【特許請求の範囲】
【請求項１】
蒸発器（２１）と凝縮器（２４）と圧縮機（２３）と送風装置（３０）とを筐体（１０）内に有し、前記蒸発器を通過した空気を前記送風装置によって外部に送風する冷房送風装置であって、
前記蒸発器よりも下方に設けられて、前記蒸発器にて発生した水を貯留するタンク（６０）と、
前記筐体の一部を構成し、前記タンクが載置されるベース部（１５）と、
駆動軸部（５０ａ）を有し、前記タンクの荷重を受けて前記駆動軸部回りに回動自在となるように前記ベース部に設けられているタンク受け部（５０）と、
前記タンク受け部が所定の高さより下方に回動したことを検出する検出部（５１）と、
を備え、
前記タンクは、
幅方向における前記タンクの中央にて前記タンク受け部と接触するタンク受け接触部（６５）と、
前記タンク受け接触部の前記幅方向における両側にて前記ベース部と接触するベース接触部（６４）と、
を有し、
前記タンク受け接触部は、前記幅方向と交差する方向において前記ベース接触部に対して離間し、
前記駆動軸部は、前記タンク受け接触部よりも前記ベース接触部に近い位置に配置されている冷房送風装置。
【請求項２】
前記ベース部は、前記ベース接触部と嵌合する嵌合部（１５ａ）を有する請求項１に記載の冷房送風装置。
【請求項３】
複数の前記ベース接触部と、複数の前記ベース接触部の並び方向と交差する方向に離間する前記タンク受け接触部を有する請求項１または請求項２に記載の冷房送風装置。
【請求項４】
複数の前記ベース接触部は、２つの突出部であり、
前記ベース部は、前記ベース接触部と嵌合する嵌合部として２つの凹部を有する請求項３に記載の冷房送風装置。
【請求項５】
前記タンクを外部に取り出すタンク取出開口部（１９）を有し、
前記ベース接触部は、前記タンク受け接触部よりも前記タンク取出開口部に近い位置に設けられる請求項１から請求項４のいずれか１項に記載の冷房送風装置。
【請求項６】
前記タンクは、前記タンク受け接触部側の底面が、前記ベース接触部側の底面よりも高い位置となるように設けられている請求項５に記載の冷房送風装置。
【請求項７】
前記ベース部は、溝部（１５ｂ）を有し、
前記タンク受け部は少なくとも前記駆動軸部が前記溝部の中に位置している請求項１から請求項６のいずれか１項に記載の冷房送風装置。
【請求項８】
前記タンクは、前記幅方向において前記タンク受け部よりも大きい幅を有するタンク凹部（６３ｂ）を有し、前記タンク受け接触部は前記タンク凹部の一部である請求項１から請求項７のいずれか１項に記載の冷房送風装置。
【発明の詳細な説明】
【技術分野】
【０００１】
この明細書における開示は、冷房送風装置に関する。
【背景技術】
【０００２】
特許文献１には、外装体内に蒸発器、凝縮器、圧縮機、送風装置等が収容される冷房機が開示されている。特許文献１の冷房機は、蒸発器で発生したドレン水を貯留するタンクを有する。タンクは、外装体の底板に装着された受け板によって底面を受け止められた状態で、外装体内に収容されている。
【先行技術文献】
【特許文献】
【０００３】
【特許文献１】特開平５−２４０４５９号公報
【発明の概要】
【発明が解決しようとする課題】
【０００４】
特許文献１の冷房機では、タンク内のドレン水を捨てる際には、タンクにドレン水が貯留された状態を使用者が目視して確認する必要がある。そこで、冷房送風装置には、タンクを安定して支持しつつタンク内のドレン水の貯留状態を検知することが求められている。
【０００５】
開示される目的は、安定してタンクを支持可能であり、タンク内の水の貯留状態を検知可能な冷房送風装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された冷房送風装置のひとつは、蒸発器（２１）と凝縮器（２４）と圧縮機（２３）と送風装置（３０）とを筐体（１０）内に有し、蒸発器を通過した空気を送風装置によって外部に送風する冷房送風装置であって、蒸発器よりも下方に設けられて、蒸発器にて発生した水を貯留するタンク（６０）と、筐体の一部を構成し、タンクが載置されるベース部（１５）と、駆動軸部（５０ａ）を有し、タンクの荷重を受けて駆動軸部回りに回動自在となるようにベース部に設けられているタンク受け部（５０）と、タンク受け部が所定の高さより下方に回動したことを検出する検出部（５１）と、を備え、タンクは、幅方向におけるタンクの中央にてタンク受け部と接触するタンク受け接触部（６５）と、タンク受け部の幅方向における両側にてベース部と接触するベース接触部（６４）と、を有し、タンク受け接触部は、幅方向と交差する方向においてベース接触部に対して離間し、駆動軸部は、タンク受け接触部よりもベース接触部に近い位置に配置されている。
【０００８】
この開示によれば、タンク受け部とタンク受け接触部との接触により、タンクの幅方向における中央で、且つ幅方向と交差する方向においてタンク受け接触部から離間して１箇所支持することができる。そしてベース部とベース接触部との接触により、幅方向におけるタンク受け接触部の両側を支持することができる。したがって、タンクを安定して支持することができる。さらに、タンク受け部がタンクからの荷重を受けて所定の高さよりも下方に回動した場合、すなわち、タンクが水の貯留により所定量以上の質量になった場合にこれを検出部によって検出することができる。このとき、タンク受け部の駆動軸部がタンク受け部よりもベース接触部に近い位置にあるので、タンク受け部のタンクとの接触部と駆動軸部との距離を比較的長くすることができる。これにより、回動時のタンク受け部のストローク量を小さくできるため、スムースな回動動作が可能となる。以上により、安定してドレンタンクを支持可能であり、ドレンタンク内の水の貯留状態を検知可能な冷房送風装置を提供することができる。
【図面の簡単な説明】
【０００９】
【図１】第１実施形態に係る冷房送風装置の正面斜視図である。
【図２】第１実施形態に係る冷房送風装置の背面斜視図である。
【図３】第１実施形態に係る冷房送風装置の側面図である。
【図４】第１実施形態に係る冷房送風装置の背面図である。
【図５】第１実施形態の冷房送風装置の背面板を外した状態の背面図である。
【図６】第１実施形態の冷房送風装置のベース部を示す斜視図である。
【図７】ベース部とマイクロスイッチとを示す分解斜視図である。
【図８】ベース部に仕切部を取り付けた状態の図である。
【図９】タンクが収容された状態の冷房送風装置の断面図である。
【図１０】タンクの底面部を示す斜視図である。
【図１１】ベース部にタンクを載置した状態を示す図である。
【図１２】タンクおよびベース部の断面図である。
【図１３】タンク受け部付近の断面図である。
【図１４】第２実施形態の冷房送風装置におけるタンクの底面部を示す斜視図である。
【発明を実施するための形態】
【００１０】
（第１実施形態）
第１実施形態の冷房送風装置について、図１〜図１３を参照して説明する。各図には、冷房送風装置１の上下方向ＶＤ、幅方向ＷＤ、奥行方向ＤＤが図示されている。上下方向ＶＤは、冷房送風装置１を床面や地面に設置した場合に、鉛直方向と実質一致する方向である。幅方向ＷＤおよび奥行方向ＤＤは、上下方向ＶＤに垂直な方向である。幅方向ＷＤと奥行方向ＤＤは、互いに垂直な方向である。
【００１１】
冷房送風装置１は、冷房対象とする人、物等に対して冷房風を送風することで局所的な冷房を提供する所謂スポットクーラである。冷房送風装置１は、使用する場所の床面や地面に載置された状態で使用される。冷房送風装置１は、車輪部７０によって使用者がその載置場所を容易に移動させることが可能となっている。冷房送風装置１は、使用者の所望の場所において冷房を提供することができるスポットクーラである。冷房送風装置１は、図２に示すように、冷凍サイクルを提供するための複数の冷凍サイクル機能部品と、冷凍サイクルによって冷却された空気を冷房風として送風する送風ユニット３０と、複数の冷凍サイクル機能部品および送風ユニット３０を収容するための筐体１０とを有する。
【００１２】
筐体１０は、例えば上下方向ＶＤに長い略直方体状の箱体である。筐体１０は、図１〜図５に示すように、上下方向ＶＤおよび奥行方向ＤＤに平行な外装面を有する２つの側面板１２、１３と、上下方向ＶＤおよび幅方向ＷＤに平行な外装面を有する背面板１４とを有する。筐体１０は、背面板１４と奥行方向ＤＤにおいて反対側の面に、吸込部１６を有する。吸込部１６は、外部の空気が筐体１０内部に吸い込まれる際に通過する部分である。吸込部１６は、例えば塵、埃等の異物を補足するフィルタによって提供される。筐体１０の上面は、上面板１１によって覆われている。筐体１０の下面は、ベース部１５によって覆われている。
【００１３】
上面板１１は、例えば金属製の板部材によって形成されている。上面板１１は、筐体１０内に吸い込まれた空気が吹き出される開口部が２つ設けられている。２つの開口部のうち一方は、蒸発器２１を通過した空気が吹き出される第１開口部である。第１開口部には、例えばダクト４０が接続されている。したがって、第１開口部を通過した空気はダクト４０の内部を通過して外部へと吹き出されるようになっている。ダクト４０は、例えば蛇腹状に構成されており、その吹出向きを自在に変えることができる。ダクト４０は、その吹出向きを周期的に自動で変更可能な首振り機構を有していてもよい。また、第１開口部およびダクトは複数設けられていてもよい。２つの開口部のうち他方は、凝縮器２４を通過した空気が吹き出される第２開口部１１ｂである。第２開口部１１ｂは、冷凍サイクルユニットで発生した排熱を外部へと放出するための放出口である。
【００１４】
冷凍サイクルユニットは、複数の冷凍サイクル機能部品を有する。複数の冷凍サイクル機能部品とは、例えば蒸発器２１、凝縮器２４、圧縮機２３、アキュムレータ２２、キャピラリチューブ等である。複数の冷凍サイクル機能部品は、配管によって環状に接続されており、冷媒が循環可能となっている。
【００１５】
蒸発器２１は、吸込部１６に奥行方向ＤＤにおいて隣接して設けられ、吸込部１６を通過した直後の空気が通過可能となるように配置されている。蒸発器２１には、吸込部１６の上部を通過した空気が通過する。凝縮器２４は、蒸発器２１と上下方向ＶＤに並んで配置されている。凝縮器２４は、蒸発器２１の下方に設けられている。凝縮器２４および蒸発器２１は、その厚み方向が奥行方向ＤＤと一致する向きで、上下方向ＶＤに並んで設けられている。凝縮器２４および蒸発器２１は、吸込部１６に隣接して筐体１０内に収容されている。凝縮器２４には、吸込部１６の下部から吸い込まれた空気が通過する。圧縮機２３は、図８に示すようにベース部１５に固定されて設けられている。アキュムレータ２２は、圧縮機２３に固定されて設けられている。
【００１６】
送風ユニット３０は、回転駆動により空気を送風する２つのファンと、２つのファンを回転駆動するモータと、２つのファンおよびモータを収容するケーシングとを有する。送風ユニット３０は、上面板１１に隣接して設けられている。送風ユニット３０は、吸込部１６から空気を吸い込み外部へと吹き出すための送風装置である。２つのファンのうちの一方は、蒸発器２１を通過する空気を送風する第１ファンである。送風ユニット３０は、蒸発器２１を通過して冷却された空気を冷房風として送風する。２つのファンのうちの他方は、凝縮器２４を通過する空気を送風する第２ファンである。第１ファンおよび第２ファンは、例えば遠心多翼ファンによって提供される。または、軸流ファン、斜流ファン等によって提供されてもよい。第１ファンと第２ファンは、例えばそれぞれの軸方向を奥行方向ＤＤと実質一致させて、奥行方向ＤＤに並ぶようにケーシング内に設けられている。第１ファンは奥行方向ＤＤにおいて第２ファンよりも吸込部１６側に設けられている。第２ファンは奥行方向ＤＤにおいて第１ファンよりも背面板１４側に設けられている。
【００１７】
モータは、例えばその回転軸の両端から回転運動を外部に伝達可能な両軸モータである。モータは、回転軸の一方の端部に第１ファンが取り付けられ、他方の端部に第２ファンが取り付けられている。モータは、回転軸の軸方向が奥行方向ＤＤと実質一致するようにケーシング内に収容されている。ケーシングは、第１ファンにより送風される空気を吹き出す第１吹出口と、第２ファンにより送風される空気を吹き出す第２吹出口とを有する。第１吹出口は、上面板１１の第１開口部と連通している。第２吹出口は、上面板１１の第２開口部１１ｂと連通している。
【００１８】
タンク６０は、蒸発器２１において結露により発生した水を貯留する貯留部である。タンク６０は、例えば樹脂によって形成されている。タンク６０は、箱体状に形成されている。タンク６０は、ベース部１５に載置されて冷房送風装置１に収容される。タンク６０は、図９に示すように仕切部１７およびベース部１５によって区画された収容空間に収容される。タンク６０は、使用者が把持するための把持部６２を有する。タンク６０は、使用者が容易に収容空間から取り出したり収容空間に収容したりすることが可能である。タンク６０は、タンク取出開口部１９から収容空間の外部に取り出される。タンク６０は、タンク取出開口部１９から収容空間に収容される。タンク取出開口部１９は、ベース部１５および仕切部１７の奥行方向ＤＤにおける手前側の端部によって形成される。ここで手前側とは、冷房送風装置１において吸込部１６を正面視した際の手前側である。タンク６０は、底面部６３にタンク凹部６３ｂを有する。タンク凹部６３ｂは、タンク６０の幅方向ＷＤにおける中央に形成されている。タンク凹部６３ｂは、タンク６０の奥行方向ＤＤに延びるように形成されている。タンク凹部６３ｂの幅方向ＷＤの大きさは、タンク受け部５０の幅方向ＷＤの大きさよりも大きい。
【００１９】
タンク６０は、図９および図１０に示すように、底面部６３に突出部６４を有する。突出部６４は、例えばタンク６０の幅方向ＷＤにおいて底面部６３の中央を挟んで両側に１つずつ形成されている。突出部６４は、タンク６０をベース部１５に載置した際に、ベース部１５と接触するベース接触部である。突出部６４は、タンク６０の奥行方向ＤＤにおける中央よりも手前側に形成されている。タンク６０は、ベース部１５に載置された際にタンク受け部５０と接触するタンク受け接触部６５を有する。タンク受け接触部６５は、例えばタンク６０における底面部６３の一部によって提供される。タンク受け接触部６５は、タンク凹部６３ｂの一部によって提供される。タンク受け接触部６５は、タンク６０の幅方向ＷＤにおける中央でタンク受け部５０と接触している。タンク受け接触部６５は、２つの突出部６４の並び方向と交差する方向において、２つの突出部６４から離間している。第１実施形態におけるタンク６０の場合、２つの突出部６４の並び方向は、タンク６０の幅方向ＷＤと実質一致している。２つの突出部６４は、タンク６０が収容された状態において、タンク受け接触部６５よりもタンク取出開口部１９に近い側に形成されている。２つの突出部６４は、奥行方向ＤＤにおいてタンク受け接触部６５よりも手前側に形成されている。
【００２０】
ベース部１５は、例えば金属製の板部材によって形成されている。図６に示すように、ベース部１５には、タンク受け部５０が設置される。ベース部１５には、マイクロスイッチ５１が取り付けられる。ベース部１５の下面には、複数の車輪部７０が取り付けられている。車輪部７０は、使用者が冷房送風装置１を押したり引いたりするなどして移動させるための部材であり、所謂キャスターである。ベース部１５には、圧縮機２３が取り付けられる。ベース部１５には、図１１に示すように、タンク６０が載置される。ベース部１５は、上表面にタンク６０の２つの突出部６４とそれぞれ嵌合する２つの凹部１５ａを有する。凹部１５ａは、タンク６０を所定の位置に載置した場合にタンク６０の突出部６４と嵌合する位置に設けられる。すなわち、凹部１５ａは、突出部６４と嵌合することで、タンク６０のベース部１５に対する位置を規定する位置決め部としての機能を有する。凹部１５ａは、特許請求の範囲における嵌合部に相当する。ベース部１５は、溝部１５ｂを有する。溝部１５ｂは、ベース部１５の幅方向ＷＤの中央において、奥行方向ＤＤに延びるように形成されている。溝部１５ｂには、タンク６０を受けるタンク受け部５０が設置される。
【００２１】
タンク受け部５０は、ベース部１５に設置された状態において奥行方向ＤＤに延びる板状の金属部材である。図１２および図１３に示すように、タンク受け部５０は、駆動軸部５０ａを有する。駆動軸部５０ａは、例えばタンク受け部５０の一方の端部によって提供される。駆動軸部５０ａは、タンク６０の荷重を受けてタンク受け部５０が下方に回動する際に、回動の軸となる部分である。すなわち、タンク受け部５０は駆動軸部５０ａ回りに回動する。駆動軸部５０ａは、ベース部１５に設けられた状態で、タンク受け接触部６５よりも突出部６４に近い位置に配置されている。
【００２２】
タンク受け部５０は、駆動軸部５０ａでベース部１５と接触し、ばね部材５２によって駆動軸部５０ａと反対側の端部がベース部１５から離間するように持ち上げられた状態でベース部１５に設置されている。タンク受け部５０は、タンク６０の幅方向ＷＤにおける中央でタンク受け接触部６５と接触するように設けられている。タンク受け部５０は、タンク６０の奥行方向ＤＤにおいて中央よりも背面板１４に近い側でタンク受け接触部６５と接触している。タンク受け部５０は、ベース部１５の幅方向ＷＤにおける中央に設置されている。タンク受け部５０は、ベース部１５に形成された溝部１５ｂに設置されている。
【００２３】
ばね部材５２は、タンク受け部５０の下方で、タンク受け部５０とベース部１５とに挟まれて設けられている。ばね部材５２は、タンク受け部５０がタンク６０から荷重を受けて下方へ回動する際に、復元力を反力としてタンク受け部５０に付与する弾性部材である。ばね部材５２は、タンク受け部５０に対してベース部１５から押し上げるように復元力を作用させる。ばね部材５２は、この復元力とタンク６０の荷重がタンク受け部５０に与える作用力との釣り合いによって、タンク６０の荷重に対応したタンク受け部５０の回動量を調整する。これにより、タンク受け部５０は、タンク６０の荷重が大きいほど荷重がかかっていない状態からの回動量が大きくなる。換言すれば、タンク受け部５０は、タンク６０の荷重が大きいほど駆動軸部５０ａと反対側の端部がより下方に位置するように回動する。ばね部材５２は、例えばつるまきばね、板ばね等によって提供される。ばね部材５２は、タンク６０内部に水が所定量貯留された際のタンク６０の荷重によってタンク受け部５０がマイクロスイッチ５１のスイッチをオンにするように、その弾性率が調整されている。
【００２４】
マイクロスイッチ５１は、アクチュエータの動きを内部の可動接点に伝達して可動接点と固定接点との接触状態と離間状態とを切り替える機械式のスイッチ装置である。マイクロスイッチ５１は、図７に示すようにベース部１５に対して取り付けられる。マイクロスイッチ５１は、タンク受け部５０における駆動軸部５０ａと反対側の端部によってアクチュエータを押されることでスイッチオンの状態、すなわち可動接点と固定接点が接触した状態となる。マイクロスイッチ５１は、タンク受け部５０が所定量以上回動した場合、すなわちタンク受け部５０が所定の高さより下方に回動した場合にスイッチオンの状態となるようにその取り付け位置を決定されている。マイクロスイッチ５１は、タンク受け部５０の所定量以上の回動を検出する検出部である。ここで、タンク受け部５０が所定量以上回動した場合とは、タンク６０に水が所定水量以上貯留された状態である。マイクロスイッチ５１は、スイッチオン状態で、タンク６０に水が所定量以上貯留されたことを報知部に報知させるための電気回路に通電を行う。報知部は、ランプの点灯等の視覚情報またはブザー等の聴覚情報によって報知を行う。
【００２５】
ベース部１５にタンク６０を載置した状態において、タンク６０は、タンク受け接触部６５でタンク受け部５０と接触し、２つの突出部６４によってベース部１５と接触している。すなわち、タンク６０は、１箇所をタンク受け部５０によって支持され、２箇所をベース部１５によって支持された所謂３点支持の状態で、ベース部１５に載置される。突出部６４は、タンク６０の荷重により上下方向に動くタンク受け接触部６５の、幅方向ＷＤにおける両側でベース部１５と接触しているため、タンク６０をより安定して支持することができる。また、タンク受け接触部６５は２つの突出部６４の並び方向と交差する方向に突出部６４から離間しているため、３点支持による安定性がより向上されている。
【００２６】
ベース部１５にタンク６０を載置した状態において、タンク６０の底面部６３は、突出部６４側よりもタンク受け接触部６５側の方が高い位置にある。タンク６０は、底面部６３が奥行方向ＤＤにおいて手前側から奥側に向かって位置が高くなるように傾斜した状態で、タンク受け部５０により支持されている。
【００２７】
次に、タンク受け部５０によってタンク６０に水が貯留されたことを報知する一連の作動について説明する。タンク６０は、冷房送風装置１に収容された状態で、タンク受け部５０と接触している。タンク６０に水が貯留されていない状態あるいは所定量未満の水が貯留されている状態では、タンク受け部５０は、ばね部材５２によって持ち上げられ、マイクロスイッチ５１を押さない状態となっている。タンク６０に水が貯留され、その水量が増加すると、タンク受け部５０がタンク６０から受ける荷重が増加する。これにより、タンク受け部５０は、駆動軸部５０ａを軸にして回動する。タンク６０に水が所定水量以上貯留され、タンク受け部５０が所定の高さよりも下方に回動すると、タンク受け部５０はマイクロスイッチ５１のスイッチを押す。これにより、冷房送風装置１は、タンク６０に水が所定量貯留されたことを報知し、使用者に対してタンク６０内の水を排出するように促すことができる。
【００２８】
次に第１実施形態の冷房送風装置１がもたらす作用効果について説明する。第１実施形態の冷房送風装置１は、蒸発器２１と凝縮器２４と圧縮機２３と送風ユニット３０とを筐体１０内に有し、蒸発器２１を通過した空気を送風ユニット３０によって外部に送風する冷房送風装置１である。冷房送風装置１は、蒸発器２１にて発生した水を貯留するタンク６０と、タンク６０が載置されるベース部１５とを有する。冷房送風装置１は、駆動軸部５０ａを有し、タンク６０の荷重を受けて駆動軸部５０ａ回りに回動可能なタンク受け部５０と、タンク受け部５０が所定の高さより下方に回動したことを検出するマイクロスイッチ５１とを備える。タンク６０は、タンク６０の幅方向ＷＤにおける中央にてタンク受け部５０と接触するタンク受け接触部６５と、タンク受け部５０の幅方向ＷＤにおける両側にてベース部１５と接触する複数の突出部６４とを有する。タンク受け接触部６５は、幅方向ＷＤと交差する方向において複数の突出部６４に対して離間し、駆動軸部５０ａは、タンク受け接触部６５よりも突出部６４に近い位置に配置されている。
【００２９】
これによれば、タンク６０を少なくとも３箇所で支持した状態でベース部１５に載置することができる。すなわち、タンク受け部５０とタンク受け接触部６５との接触により、タンク６０の幅方向における中央で、且つ突出部６４の並び方向と交差する方向においてタンク受け接触部６５から離間して１箇所支持することができる。そして、ベース部１５と突出部６４との接触により、幅方向ＷＤにおけるタンク受け接触部６５の両側を支持することができる。したがって、タンク６０を安定して支持することができる。さらに、タンク受け部５０がタンク６０からの荷重を受けて所定の高さよりも下方に回動した場合、すなわち、タンク６０が水の貯留により所定量以上の質量になった場合にこれをマイクロスイッチ５１によって検出することができる。このとき、タンク受け部５０の駆動軸部５０ａがタンク受け部５０よりも突出部６４に近い位置にあるので、タンク受け部５０のタンク６０との接触部と駆動軸部５０ａとの距離を比較的長くすることができる。これにより、回動時のタンク受け部５０のストローク量を小さくできるため、スムースな回動動作が可能となる。以上により、安定してタンク６０を支持可能であり、タンク６０内の水の貯留状態を検知可能な冷房送風装置１を提供することができる。
【００３０】
ベース部１５は、タンク６０の突出部６４と嵌合する凹部１５ａを有する。これによれば、タンク６０を載置する際に、突出部６４を凹部１５ａに嵌合するように載置することで、タンク６０のベース部１５に対する位置を位置決めすることができる。したがって、タンク６０がベース部１５に対して適正な位置からずれることを抑制することができる。
【００３１】
冷房送風装置１は、タンク６０を外部に取り出すタンク取出開口部１９を有し、２つの突出部６４は、タンク受け接触部６５よりもタンク取出開口部１９に近い位置に設けられる。これによればタンク６０のタンク取出開口部１９に近い側を安定して支持することができる。したがって、タンク６０をスムースに取り出すことができる。
【００３２】
タンクは、タンク受け接触部６５側の底面部６３が、突出部６４側の底面部６３よりも高い位置となるように設けられている。これによれば、タンク取出開口部１９から遠い側の底面部６３が高くなっているため、タンク６０をよりスムースに取り出すことが可能となる。
【００３３】
ベース部１５は、溝部１５ｂを有し、タンク受け部５０は少なくとも駆動軸部５０ａがベース部１５の溝部１５ｂの中に位置している。これによれば、タンク受け部５０の少なくとも駆動軸部５０ａを溝部１５ｂの中に収容できるため、ベース部１５とタンク６０の底面部６３との間隔が大きくなることを抑制することができる。
【００３４】
タンク６０は、幅方向ＷＤにおいてタンク受け部５０よりも大きい幅を有するタンク凹部６３ｂを有し、タンク受け接触部６５はタンク凹部６３ｂの一部である。これによれば、タンク受け部５０は、タンク６０がベース部１５に載置された状態において、タンク６０のタンク凹部６３ｂの内部に収容された状態となる。したがって、タンク６０のベース部１５に対する位置決めをより確実に行うことができる。
【００３５】
（第２実施形態）
第２実施形態では、第１実施形態における冷房送風装置１の変形例について説明する。図１４において第１実施形態の図面中と同一符号を付した構成要素は、同様の構成要素であり、同様の作用効果を奏するものである。
【００３６】
タンク６０は、突出部２６４を有する。突出部２６４は、第１実施形態の突出部６４と同様に、タンク６０がベース部１５に載置された状態でベース部１５と接触する部分である。したがって、突出部２６４は、タンク受け接触部６５とともに載置されたタンク６０を支持する部分である。突出部２６４は、底面部６３において幅方向ＷＤに延びるように設けられている。突出部２６４は、幅方向ＷＤにおいてタンク受け接触部６５の両側に延びるように設けられている。すなわち、突出部２６４は、少なくともタンク受け接触部６５の幅方向ＷＤにおける両側でベース部１５と接触するように設けられている。
【００３７】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味および範囲内での全ての変更を含むものと解されるべきである。
【００３８】
上述の実施形態において、駆動軸部５０ａは、タンク受け部５０の一方の端部によって提供されるとしたが、駆動軸部の構成はこれに限定されない。例えば、タンク受け部が幅方向ＷＤに延びる棒状の軸部材を駆動軸部として有し、この軸部材がベース部１５に回動自在に取り付けられる構成であってもよい。
【００３９】
上述の実施形態において、タンク６０は突出部を有し、ベース部１５の凹部１５ａと嵌合する構成である。これに代えて、タンク６０が凹部を有し、ベース部１５に形成された突出部と嵌合する構成であってもよい。この場合、タンク６０の凹部が、ベース部１５と接触するベース接触部に相当する。また、タンク６０の突出部が、ベース部１５の凹部１５ａと嵌合することなくベース部１５の上表面に接触した状態でタンク６０が載置される構成であってもよい。
【００４０】
上述の実施形態において、タンク６０は底面部６３から突出する突出部をベース接触部として有する。これに代えて、タンク６０が突出部を有さない構成としてもよい。例えば、タンク６０の底面部６３の所定の領域がベース部１５と接触する構成であってもよい。この場合、底面部６３におけるベース部１５と接触する領域がベース接触部に相当する。
【００４１】
上述の実施形態において、タンク受け接触部６５はタンク６０の幅方向ＷＤにおける中央でタンク受け部５０と接触するとしたが、厳密に中央で接触する構成である必要はなく、多少中央から幅方向ＷＤにずれた位置で接触する構成であってもよい。タンク受け接触部６５は、結果的にタンク６０が３点支持により安定してベース部１５に載置されていれば、幅方向ＷＤにおいて多少中央から幅方向ＷＤにずれた位置で接触していてもよい。
【００４２】
上述の実施形態において、タンク受け部５０がタンク６０から荷重を受けて回動する際に、その回動向きとは反対の向きに反力を付与する弾性部材として、ばね部材５２を用いるとした。これに代えて、ゴム部材等の弾性を有する素材を弾性部材として適用してもよい。また、ガス等の圧縮による反力をタンク受け部５０に付与するダンパ部材をばね部材５２の代わりに用いてもよい。
【００４３】
上述の実施形態において、ばね部材５２は、タンク受け部５０の下方に設けられ、タンク受け部５０を押し上げるようにして復元力をタンク受け部５０へと付与しているとした。これに代えて、ばね部材は、タンク受け部５０を吊り下げるように設けられ、タンク受け部５０を吊り上げるようにして復元力をタンク受け部５０に付与する構成であってもよい。
【００４４】
上述の実施形態において、冷房送風装置１は、車輪部７０によって使用者が所望の場所に容易に移動できる構成であるとした。これに代えて、冷房送風装置は、車輪部７０を有さない所謂据え置き型の装置であってもよい。
【符号の説明】
【００４５】
１０  筐体、  １５  ベース部、  １５ａ  凹部（嵌合部）、  １５ｂ  溝部、  １９  タンク取出開口部、  ２１  蒸発器、  ２３  圧縮機、  ２４  凝縮器、  ３０  送風ユニット（送風装置）、  ５０  タンク受け部、  ５０ａ  駆動軸部、  ５１  マイクロスイッチ（検出部）、  ６０  タンク、  ６３ｂ  タンク凹部、  ６４  突出部（ベース接触部）、  ６５  タンク受け接触部。
【図１】
2018138855.tif 000003
【図２】
2018138855.tif 000004
【図３】
2018138855.tif 000005
【図４】
2018138855.tif 000006
【図５】
2018138855.tif 000007
【図６】
2018138855.tif 000008
【図７】
2018138855.tif 000009
【図８】
2018138855.tif 000010
【図９】
2018138855.tif 000011
【図１０】
2018138855.tif 000012
【図１１】
2018138855.tif 000013
【図１２】
2018138855.tif 000014
【図１３】
2018138855.tif 000015
【図１４】
2018138855.tif 000016